(57)【要約】      （修正有）【課題】使用者に優れた冷却効果を提供することによって熱中症対策及び快適な環境提供を実現することが可能なウエストポーチを提供する。【解決手段】開閉自在な開口２を備える略袋状の本体部４と、本体部の略両端に取り付けられ互いに着脱可能な２本のベルト６と、を有するウエストポーチ１であって、本体部は、使用者側部分の略上部に配置された開閉自在な通気口８と、使用者側部分とは反対側の正面部分に設けられたファン１０と、を具備する。【選択図】図１
0003228661.tif 000002
【実用新案登録請求の範囲】
【請求項１】
開閉自在な開口を備える略袋状の本体部と、前記本体部の略両端に取り付けられ互いに着脱可能な２本のベルトと、を有するウエストポーチであって、
前記本体部は、使用者側部分の略上部に配置された開閉自在な通気口と、前記使用者側部分とは反対側の正面部分に設けられたファンと、を具備すること、
を特徴とするファン付きウエストポーチ。
【請求項２】
前記通気口に沿って配置された線状形状保持材を具備すること、
を特徴とする請求項１に記載のファン付きウエストポーチ。
【請求項３】
前記使用者側部分において、前記通気口の側縁部を、前記使用者側部分の下方部に着脱自在に接続する係止具を具備すること、
を特徴とする請求項１又は２に記載のファン付きウエストポーチ。
【考案の詳細な説明】
【技術分野】
【０００１】
本考案は、利用者の身体を好適に冷却可能なファン付きポーチに関する。
【背景技術】
【０００２】
近年、高気温下での作業や運動から引き起こされる熱中症が問題視されている。熱中症とは、視床下部の体温を正常に保つ機能が低下することで全身の発汗作用が停止し、体温が過剰に上昇してしまう症状である。そのため、熱中症が引き起こされると適切な処置を早急に行うことが重要であり、処置が遅れると死に至るケースもある。
【０００３】
上記のような熱中症対策及び快適な作業環境を提供するために、身体を冷却しつつ作業や運動を可能とする空調衣服が知られている（例えば、特許文献１参照）。空調衣服とは、衣服用ファンが一体的に構成された衣服であり、衣服と、身体又は下着と、の間に外気を取り入れ、本来身体の体温で温められたまま移動しない衣服内の空気を強制的に入れ替えるものである。
【先行技術文献】
【特許文献】
【０００４】
【特許文献１】国際公開第０２／０６７７０８号パンフレット
【考案の概要】
【考案が解決しようとする課題】
【０００５】
他方、ピクニックやハイキングを楽しむ者はもとより、街中を行き交う人たちのなかでは、ウエストポーチが使用されているところ、使用者はウエストポーチと接する部分において特に汗をかき易く暑さを感じるという問題があり、使用者の熱中症対策及び快適な環境提供を実現するために、何らかの方法が望まれている。
【０００６】
そこで、本考案の目的は、上記問題に鑑みて創作されたものであり、ウエストポーチの使用者に、優れた冷却効果を提供することによって熱中症対策及び快適な環境提供を実現することが可能なウエストポーチを提供することにある。
【課題を解決するための手段】
【０００７】
上記の課題を解決すべく、本考案は、
開閉自在な開口を備える略袋状の本体部と、前記本体部の略両端に取り付けられ互いに着脱可能な２本のベルトと、を有するウエストポーチであって、
前記本体部は、使用者側部分の略上部に配置された開閉自在な通気口と、前記使用者側部分とは反対側の正面部分に設けられたファンと、を具備すること、
を特徴とするファン付きウエストポーチ、を提供する。
【０００８】
このような構成を有する本考案のファン付きウエストポーチによれば、ファンを取り付けて外部の空気をウエストポーチの本体部の内部に引き込み、使用者側部分の略上部に配置された開閉自在な通気口から、使用者のウエスト部にわたって、空気の通り道を積極的に作ることができる。そのため、空気を使用者のウエスト部に確実に放出させることができ、優れた冷却効果を提供することによって熱中症対策及び快適な環境提供を実現することができる。
【０００９】
上記の本考案のファン付きウエストポーチは、前記通気口に沿って配置された線状形状保持材を具備すること、が好ましい。
【００１０】
このような構成を有する本考案のファン付きウエストポーチにおいては、本体部の形状を損なわずに通気口を開けておくことができ、また、使用者側部分の略上部に配置された開閉自在な通気口から、使用者のウエスト部にわたる空気の通り道を、確実に作ることができる。そのため、確実に、空気を使用者のウエスト部に放出させて、優れた冷却効果を提供できる。
【００１１】
上記の本考案のファン付きウエストポーチにおいては、前記使用者側部分において、前記通気口の側縁部を、前記使用者側部分の下方部に着脱自在に接続する係止具を具備すること、が好ましい。
【００１２】
このような構成を有する本考案のファン付きウエストポーチにおいては、通気口をより確実にかつ大きく開けておくことができ、使用者側部分の略上部に配置された開閉自在な通気口から、使用者のウエスト部にわたる空気の通り道を、より確実に作って保持することができる。そのため、より確実に、空気を使用者のウエスト部に放出させて、優れた冷却効果を提供できる。
【考案の効果】
【００１３】
本考案によれば、ウエストポーチの使用者に、優れた冷却効果を提供することによって熱中症対策及び快適な環境提供を実現することが可能なウエストポーチを提供することができる。
【図面の簡単な説明】
【００１４】
【図１】本考案の一実施形態に係るファン付きウエストポーチ１の概要を示す図であり、（１）はファン付きウエストポーチ１の正面図であり、（２）はファン付きウエストポーチ１の上面図である。
【図２】図１に示すファン付きウエストポーチ１の背面図であり、（１）は通気口８を閉じた状態を示す図であり、（２）は通気口８を開き、かつ通気口８の側縁部が使用者側部分４ａの下方部に着脱自在に接続されている状態を示す図である。
【考案を実施するための形態】
【００１５】
以下、本考案に係るファン付きウエストポーチの代表的な実施形態について、図を参照しながら詳細に説明するが、本考案は図示されるものに限られない。また、各図面は本考案を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１６】
本実施形態のファン付きウエストポーチ１は、図１に示すように、開閉自在な開口２を備える略袋状の本体部４と、本体部４の略両端に取り付けられ互いに着脱可能な２本のベルト６と、を有する。２本のベルト６は、それぞれの一端が本体部４に接続されており、それぞれの他端には、互いに着脱自在に接続可能な係止部が設けられている。
【００１７】
本体部４は、使用者の身体に接する側の使用者側部分４ａと、使用者側部分４ａとは反対側の正面部分４ｂと、蓋部４ｃと、を含み、更に、使用者側部分４ａの略上部に配置された開閉自在な通気口８と、正面部分４ｂに設けられたファン１０と、を具備すること、を特徴とする。
【００１８】
開閉自在な開口２は、蓋部４ｃの正面部分４ｂ側に設けられており、蓋部４ｃと使用者側部分４ａ側とは連続しており一体化している。そして、使用者側部分４ａの略上部に配置された通気口８は、より具体的には、蓋部４ｃと使用者側部分４ａ側とは連続して一体化している部分に設けられており、例えば線ファスナーによって開閉自在となっている。
【００１９】
本実施形態のファン付きウエストポーチ１は、このような構成を有することにより、ファン１０を取り付けて外部の空気を本体部４の内部に引き込み、使用者側部分４ａの略上部に配置された開閉自在な通気口８から使用者のウエスト部にまで続く、空気の通り道を積極的に作ることができる。そのため、空気を使用者のウエスト部に確実に放出させることができ、優れた冷却効果を提供することによって熱中症対策及び快適な環境提供を実現することができる。
【００２０】
また、本実施形態のファン付きウエストポーチ１の蓋部４ｃにおいては、略直線状の通気口８の長さ方向に沿って、例えば金属製又は樹脂製等の線状形状保持材１２が配置されている。線状形状保持材１２は、蓋部４ｃの内部に埋設されていても表側又は裏側に縫製又は接着等により配設されていてもよく、線状から折り曲げた状態を保持できるとともに、折り曲げた状態から元の線状に戻すことができるものであり、自己形状保持材ともいえる。
【００２１】
このような構成により、本体部４の形状を損なわずに通気口８を開けておくことができ、また、通気口８から使用者のウエスト部にまで続く空気の通り道を、確実に作ることができる。そのため、確実に、空気を使用者のウエスト部に放出させて、優れた冷却効果を提供できる。
【００２２】
そして、本体部４の使用者側部分４ａには、上方（即ち通気口８の側縁部）に設けられた雄型（又は雌型）ホック等の係止具１４ａと、下方（即ち使用者側部分４ａの下方部）に設けられた雌型（又は雄型）ホック等の係止具１４ｂと、が着脱自在に接続できる係止具１４が設けられている。
【００２３】
本体部４の通気口８を閉じた状態から（図２の（１））、線ファスナ―を開いて通気口８を開けば、使用者側部分４ａの上方（即ち通気口８の側縁部）に設けられた係止具１４ａを、下方（即ち使用者側部分４ａの下方部）に設けられた係止具１４ｂに、着脱自在に接続することができる（図２の（２））。
【００２４】
このような構成により、通気口８をより確実にかつ大きく開けておくことができ、通気口８から使用者のウエスト部にまで続く空気の通り道を、より確実に作るとともに保持することができる。そのため、より確実に、空気を使用者のウエスト部に放出させて、優れた冷却効果を継続的に提供できる。
【００２５】
以上、本考案の一実施形態について図面を参照しつつ説明してきたが、本考案は、これらの実施形態に限定されるものではなく、実用新案登録請求の範囲の記載の精神及び教示を逸脱しない範囲でその他の改良例や変形例が存在する。そして、かかる改良例や変形例は全て本考案の技術的範囲に含まれることは、当業者にとっては容易に理解されるところである。
【符号の説明】
【００２６】
１          ファン付きウエストポーチ
２          開口
４          本体部
４ａ        使用者側部分
４ｂ        正面部分
４ｃ        蓋部
６          ベルト
８          通気口
１０        ファン
１２        線状形状保持材
１４        係止具
【図１】
0003228661.tif 000003
【図２】
0003228661.tif 000004